(57)【要約】      （修正有）【課題】海、河川、湖沼等の水環境の底に堆積した有機物を含む汚濁物質（ヘドロ）を時間をかけて浄化する薬剤を提供する。【解決手段】水と反応して分解する固化材３の内部に水と反応して酸素を発生する固形物２を含ませて、混合分散し、造粒固化し、固形物２を固化材３で覆うことにより、固形物２と水との反応開始時期を固化材３の分解に要する時間によりバラツキを持たせ、混合した固形物２より酸素を発生させる時間を長くしたヘドロ浄化剤１。前記固形（２）と水との反応を促進させる促進剤５を更に含む。発生した酸素により、添加した場所を好気条件とし、微生物によるヘドロの浄化を行わさせる。亦、繁殖してヘドロを浄化する微生物はヘドロ浄化剤を添加した場所に生息していた微生物である。【選択図】図１
2014184428.tif 000002
【特許請求の範囲】
【請求項１】
固化した後、水と反応して分解する固化材（３）と、水と反応して酸素を発生する固形物（２）を含み、固形物（２）を固化材（３）の内部に混合分散させ、造粒固化したヘドロ浄化剤。
【請求項２】
請求項１に固形物（２）が水と反応して酸素を発生する反応を促進させるための促進剤（５）を混合したヘドロ浄化剤
【請求項３】
請求項１、又は請求項２のヘドロ浄化剤（１）を無機性の多孔物質（４）に吸着させ固化したヘドロ浄化剤
【発明の詳細な説明】
【技術分野】
【０００１】  本発明は、海、河川、湖沼等の水環境の底に堆積した有機物を含む汚濁物質（ヘドロ）を浄化する薬剤である。
【背景技術】
【０００２】  従来のヘドロ浄化剤は、水と反応して酸素を発生する固形物を水中に直接添加して酸素を発生させヘドロを好気化した。または、ヘドロ中の有機物を浄化させる微生物を含んだ浄化剤をヘドロに添加してヘドロを浄化した。
【発明が解決しようとする課題】
【０００３】  水と反応して酸素を発生する固形物を水中に直接添加してヘドロを好気化し、ヘドロを浄化する方法は、添加した固形物の全てが添加と同時に水と接触し、水と反応し酸素の発生を開始するので反応時間が短く、ヘドロの浄化が終了する前に酸素の発生が停止した。その為、ヘドロを長期間にわたり好気化することはできず、ヘドロ中の有機物を浄化する好気性の微生物をヘドロ中に繁殖させることができなかった。又、ヘドロ中の有機物を浄化させる微生物を含んだ物質を水中に添加してヘドロを浄化する方法は、添加する微生物と添加した場所の自然界に既に生息する微生物と異なるので、生態系の破壊が危惧され、自然界に対する安全性を担保することができなかった。
【課題を解決するための手段】
【０００４】  上記の課題を解決する為、本発明は、ヘドロ浄化剤（１）に水と反応して分解する固化材（３）の内部に水と反応して酸素を発生する固形物（２）を含ませて、混合分散し、造粒固化し、固形物（２）を固化材（３）で覆うことにより、固形物（２）と水との反応開始時期を固化材（３）の分解に要する時間によりバラツキを持たせ、混合した固形物（２）より酸素を発生させる時間を長くした。又、ヘドロの好気状況により水と反応して酸素を発生する固形物（２）の反応が停止する場合は、固形物（２）の反応を促進させるための促進剤（５）をヘドロ浄化剤（１）に含ませる。これらのことにより、添加した場所の自然界は長期間好気条件が維持され、ヘドロが浄化できる。
この時、繁殖したヘドロを浄化する微生物はヘドロ浄化剤（１）を添加した場所に既に生息していた微生物である。
また、ヘドロ浄化剤（１）の流動性がある時に無機性の多孔物質（４）に吸着させることにより、ヘドロ浄化剤（１）が多孔質物質（４）の穴に入り込み、分解し空間ができるので繁殖した微生物が付着でき、微生物の繁殖を促進させることができる。
本発明により外部より新たな微生物を添加せず、添加した場所の自然界に既に生息している微生物によりヘドロを浄化する。新たに添加する微生物がないので添加した場所の生態系の破壊はなく自然界の安全性は担保できる。
【発明の実施形態】
【０００５】  ヘドロ浄化剤（１）は水と反応して分解する固化材（３）の内部に、水と反応して酸素を発生する固形物（２）と固形物（２）の反応を促進させるための促進剤（５）を内部に含ませたものである。イメージを図１に示す。ヘドロ浄化剤（１）は固化材（３）、固形物（２）、促進剤（５）により形成され、混合、造粒、固化させたものである。
水と反応して分解する固化材（３）には、生分解性プラスチックがある。生分解性プラスチックは水と反応し、分解し水と炭酸ガスを発生するので環境には無害である。水と反応して酸素を発生する固形物（２）には、「酸化鉄（Ｆｅ２Ｏ３）等、」「酸化マグネシュウム（ＭｇＯ２）等」「過酸化カルシュウム（ＣａＣＯ３）等」、が公知である。ヘドロ浄化剤（１）は固化材（３）が液体化している時に固形物（２）促進剤（５）を混合させ、粒状固化させる。ヘドロ浄化剤（１）を水中に散布すると、固化材（３）は水と反応して分解するので、混合された固形物（２）は、順次、水中で水と接触し、酸素を発生する。例とし、固形物（２）が酸化鉄（Ｆｅ２Ｏ３）場合の反応式を下記（１）式に示す。
Ｆｅ２Ｏ３＋Ｈ２Ｏ  →  Ｆｅ（ＯＨ）２＋Ｏ２↑・・・・・・・・・・（１）
ヘドロ浄化剤（１）を水底のヘドロに添加すると、固化材（３）の表面より露出した固形物（２）は水と反応し、酸素を発生する。なお、固形物（２）を混合したヘドロ浄化剤（１）は比重が１以上なので水に添加すると沈む。ヘドロ浄化剤（１）は水中に添加後、水を吸収した後、比重が１以上になる場合もある。
ヘドロには有機物が含まれ、嫌気状態になっている。従って、ヘドロの水域は酸化還元電位がマイナスである。ヘドロ浄化剤（１）を添加するとヘドロ水域の酸化還元電位を中和させる為、固形物（２）より陽イオンが溶出し固形物（２）は還元され、酸素が発生する。
固形物（２）に鉄系の酸化鉄（Ｆｅ２Ｏ３）を使用すると酸化鉄（Ｆｅ２Ｏ３）は水と反応し、酸素を発生した後、水に溶解する水酸化鉄（Ｆｅ（ＯＨ）２）となり、水中に溶解している燐「ポリリン酸（ＰＯ４）」と反応しリン酸鉄（ＦｅＰＯ４）となり、水の汚染源となる燐を不溶解化させ固定させるので水環境の浄化にも役立つ。
混合した固形物（２）が水と接触を開始する時期は、固形物（２）のヘドロ浄化剤（１）表面よりの距離により異なる。ヘドロ浄化剤（１）表面の固化材（３）が分解すると、混合した固形物（２）が徐々に水との接触を開始する。固化材（３）の分解は長期にわたるので、固形物（２）の反応開始時期が異なり長期にわたり固形物（２）より酸素の発生が可能となる。ヘドロ浄化剤（１）の形状を球状にし、固化材（３）に生分解性プラスチックを使用すると、生分解性プラスチックの分解速度は一定なので、ヘドロ浄化剤（１）より酸素の発生する期間はヘドロ浄化剤（１）の粒径に比例する。又、酸素の発生量は混合させる固形物（２）の量に比例する。尚、固化材（３）はヘドロが好気状態になると水と反応して発生する酸素の量が減少又は零となることがある。この時は、反応を促進し酸素の発生量を促進させるための促進剤（５）をヘドロ浄化剤（１）に含ませる。促進剤（５）を固化材（３）に混合させず、別途に添加させる使用方法も可能である。
図２は前記のヘドロ浄化剤（１）が液体化した状態で、固化する前に無機性の多孔物質（４）に吸着させたヘドロ浄化剤（１）のイメージを示す。多孔物質（４）は環境中に残存しても環境の汚染源とならない、無機性の、ゼオライト、アンスラサイト、珪藻土が望ましい。多孔物質（４）にはヘドロ浄化剤（１）が分解し、できた多孔物質（４）の穴にヘドロを浄化する好気性の微生物が固定化できるので、ヘドロ浄化剤（１）の浄化能力を増加させることができる。尚、この多孔物質（４）に好気化したヘドロの環境下で安全にヘドロが分解できることの確認ができた微生物を付着させる事もできる。
【発明の効果】
【０００６】  本発明により、長期にわたりヘドロ浄化剤（１）を添加した水域に酸素の供給が可能となり、ヘドロの好気化が長期に維持でき、好気性のヘドロを分解する微生物が繁殖でき水底のヘドロが浄化できる。
この時、繁殖したヘドロを浄化する微生物はヘドロ浄化剤（１）を添加した場所にすでに生息していた微生物なので、生態系の破壊は無く自然界に対する安全性は担保できる。又ヘドロ水域の環境が好気化するので、ヘドロ中の有機物は嫌気性分解をせず、硫化水素の様な悪臭の発生が抑制できる。
混合させる固形物（２）に鉄系の酸化鉄（Ｆｅ２Ｏ３）を使用すると、水中に溶解している燐「ポリリン酸（ＰＯ４）」と反応しリン酸鉄（ＦｅＰＯ４）となり、水の汚染源となる燐を不溶解化させ固定させるので水環境の浄化にも役立つ。
【図面の簡単な説明】
【０００７】
【図１】  ヘドロ浄化剤（１）のイメージ
【図２】  固化する前のヘドロ浄化剤（１）を無機性の多孔物質（４）に吸着させたヘドロ浄化剤のイメージ
【符号説明】
（１）はヘドロ浄化剤、（２）は固形物、（３）は固化材、（４）は多孔物質、（５）は促進剤
【図１】
2014184428.tif 000003
【図２】
2014184428.tif 000004